(57)【要約】【課題】書き込み処理動作の精度を低下させることなく、書き込み処理動作時の消費電力を低減し得るデータ書き込み装置を提供する。【解決手段】リードチャネル部５は、記録媒体６上の複数のセクタからアドレス情報の読み取り動作を行い、ライトチャネル部１０は、各セクタにデータの書き込み処理動作を行う。コントローラ部４は、書き込み処理動作時にはリードチャネル部５を動作させてアドレス情報を読み取り、該アドレス情報に基づいてライトチャネル部１０により書き込み処理動作を行う。コントローラ部４には、リードチャネル部５の動作を停止させるパワーダウン信号ＰＤを該リードチャネル部５に出力するパワーダウン制御部１２ａが設けられ、パワーダウン制御部１２ａはデータの書き込み処理動作時に、一部のセクタにおいてのみアドレス情報の読み取りを行うようにパワーダウン信号ＰＤをリードチャネル部５に出力する。【選択図】　　　　図１
2004046960.tif 000002
【特許請求の範囲】
【請求項１】
記録媒体上の複数のセクタからアドレス情報を読み取り、該アドレス情報に該当するセクタのデータ部にデータを書き込むデータ書き込み装置であって、
前記アドレス情報の読み取りを一部省略するパワーダウン制御部を備えたことを特徴とするデータ書き込み装置。
【請求項２】
記録媒体上の複数のセクタからアドレス情報の読み取り動作を行うリードチャネル部と、
前記各セクタにデータの書き込み処理動作を行うライトチャネル部と、
データの書き込み処理動作時には前記リードチャネル部を動作させてアドレス情報を読み取り、該アドレス情報に基づいて前記ライトチャネル部により前記セクタに書き込み処理動作を行うコントローラ部と
を備えたデータ書き込み装置であって、
前記コントローラ部には、前記リードチャネル部の動作を停止させるパワーダウン信号を該リードチャネル部に出力するパワーダウン制御部を備え、前記パワーダウン制御部はデータの書き込み処理動作時に、一部のセクタにおいてのみアドレス情報の読み取りを行うように前記パワーダウン信号を前記リードチャネル部に出力することを特徴とするデータ書き込み装置。
【請求項３】
前記コントローラ部は、書き込み処理開始セクタと、スキップセクタの次のセクタにおいてのみ前記アドレス情報を読み取るように、前記パワーダウン制御部から前記パワーダウン信号を出力させることを特徴とする請求項２記載のデータ書き込み装置。
【請求項４】
前記コントローラ部は、あらかじめ設定された所定数おきのセクタにおいてのみ前記アドレス情報を読み取るように、前記パワーダウン制御部から前記パワーダウン信号を出力させることを特徴とする請求項２記載のデータ書き込み装置。
【請求項５】
前記コントローラ部は、各セクタのヘッダー部の後半部においてのみ前記アドレス情報を読み取るように、前記パワーダウン制御部から前記パワーダウン信号を出力させることを特徴とする請求項２記載のデータ書き込み装置。
【請求項６】
前記コントローラ部は、書き込み処理開始セクタと、書き込み処理実行セクタの最終セクタに続くセクタのアドレス情報を読み取るように、前記パワーダウン制御部から前記パワーダウン信号を出力させることを特徴とする請求項２記載のデータ書き込み装置。
【請求項７】
前記パワーダウン制御部は、
セクタの長さをカウントするセクタカウンタと、
前記セクタカウンタのカウント値と、あらかじめ設定された通過タイミング設定値との比較に基づいて各セクタのヘッダー部の通過を検出する第一の検出部と、
前記セクタカウンタのカウント値と、あらかじめ設定されたオフタイミング設定値との比較に基づいてパワーダウン信号をオフさせる解除信号を出力する第二の検出部と、
前記コントローラ部から入力されるパワーダウン設定信号と、前記解除信号とに基づいて前記パワーダウン信号を生成する論理回路と
を備え、
前記コントローラ部は、前記第一の検出部の出力信号に基づいて、各セクタへの書き込み処理動作を順次行うことを特徴とする請求項３または４記載のデータ書き込み装置。
【請求項８】
前記パワーダウン制御部は、
セクタの長さをカウントするセクタカウンタと、
前記セクタカウンタのカウント値と、あらかじめ設定されたリードゲート立上がりタイミング設定値及びリードゲート立下りタイミング設定値との比較に基づいて、前記リードチャネル部を活性化するリードゲート信号の立上がり及び立下りタイミングを設定する第三の検出部と、
前記セクタカウンタのカウント値と、あらかじめ設定されたパワーダウン信号立上がりタイミング設定値及びパワーダウン信号立下りタイミング設定値との比較に基づいて、パワーダウン信号の立上がり及び立下りタイミングを設定する第四の検出部と
を備えたことを特徴とする請求項５記載のデータ書き込み装置。
【請求項９】
前記パワーダウン制御部は、
セクタの長さをカウントするセクタカウンタと、
前記セクタカウンタのカウント値と、あらかじめ設定された通過タイミング設定値との比較に基づいて各セクタのヘッダー部の通過を検出する第一の検出部と、
前記セクタカウンタのカウント値と、あらかじめ設定されたオフタイミング設定値との比較に基づいてパワーダウン信号をオフさせる解除信号を出力する第二の検出部と、
前記コントローラ部から入力される書き込み処理実行中フラグと、前記解除信号とに基づいて前記パワーダウン信号を生成する論理回路と
を備え、
前記コントローラ部は、前記第一の検出部の出力信号に基づいて、各セクタへの書き込み処理動作を順次行うことを特徴とする請求項６記載のデータ書き込み装置。
【請求項１０】
データの書き込み処理動作時に、リードチャネル部にパワーダウン信号を入力して該リードチャネル部の動作を停止させるとともに、書き込み処理実行セクタのアドレスの連続性を確認するために、一部のセクタにおいてのみアドレス情報の読み取りを行うように前記パワーダウン信号を解除することを特徴とするデータ書き込み方法。
【発明の詳細な説明】
【０００１】
【発明の属する技術分野】
この発明は、ＭＯやＤＶＤ−ＲＡＭ等を記録媒体とする光ディスク記録再生装置に関するものである。
【０００２】
近年、光ディスク記録再生装置は、携帯用電子機器に搭載されて、モバイル環境で使用されることが多くなっている。また、ＵＳＢ規格、あるいはＩＥＥＥ１３９４規格によるバス給電により使用されることも多い。携帯用電子機器では、消費電力の低減が必要であり、このような環境で使用される光ディスク記録再生装置においても、消費電力を低減することが必要となっている。
【０００３】
【従来の技術】
図１６は、光ディスク記録再生装置の概要を示し、図１７は、記録媒体の各セクタのフォーマットを示す。
【０００４】
図１７に示すように、各セクタはヘッダー部１とデータ部２とから構成される。ヘッダー部１は、セクタマークＳＭ、データ同期パターンＶＦＯ、アドレスマークＡＭ、アドレスＩＤ１，ＩＤ２で構成されるアドレス情報ＩＤが記録されている。データ同期パターンＶＦＯからアドレスＩＤ１，ＩＤ２までは複数組（図１７においては２組）記録されている。
【０００５】
そして、記録媒体への記録動作時あるいは再生動作時には、各セクタにおいて、まずヘッダー部１の読み取り動作が行われ、当該セクタが処理対象セクタである場合には、対となるデータ部２に対し書き込み動作あるいは読み取り動作が行われる。
【０００６】
図１６に示す光ディスク記録再生装置におけるデータ読み取り動作を説明する。データ読み取り動作時には、ＣＰＵ３の制御に基づいて、コントローラ部４からリードチャネル部５にリードゲート信号ＲＧが出力される。
【０００７】
リードチャネル部５は、リードゲート信号ＲＧの入力に基づいて動作する。そして、各セクタのヘッダー部１に格納されているアドレス情報ＩＤをピックアップ７を介して読み取って２値化し、読み取りデータＲＤＡＴＡとしてコントローラ部４に出力する。
【０００８】
また、リードチャネル部５ではデータ同期パターンＶＦＯに基づいて読み取りクロック信号ＲＣＬＫを生成し、コントローラ部４に出力する。
コントローラ部４では、２値化された読み取りデータＲＤを読み取りクロック信号ＲＣＬＫに基づいて取り込んで、アドレス情報ＩＤを再生する。そして、再生されたアドレス情報ＩＤが処理対象セクタに該当するアドレス情報であれば、コントローラ部４はリードチャネル部５にリードゲート信号ＲＧを出力する。
【０００９】
すると、リードチャネル部５では当該セクタのデータ部２からピックアップ７を介して読み取られたデータを２値化し、かつ読み取りクロック信号ＲＣＬＫを生成してコントローラ部４に出力する。
【００１０】
コントローラ部４では、２値化されたデータ部２の読み取りデータＲＤをバッファメモリ８を介してホストインターフェースに出力する。
上記のような読み取り動作時におけるリードゲート信号ＲＧのタイムチャートを図１８に従って説明する。
【００１１】
リードゲート信号ＲＧは、各セクタのヘッダー部１の読み取り動作時にコントローラ部４からリードチャネル部５に出力される。ヘッダー部１の読み取り動作に基づいて、読み取り処理開始セクタ９ａであると判別されると、そのデータ部２を読み出すためにリードゲート信号ＲＧがリードチャネル部５に出力される。
【００１２】
そして、読み取り処理開始セクタ９ａに続いて読み取り処理実行セクタ９ｂを読み出す毎に、そのデータ部２を読み出すために、リードゲート信号ＲＧがリードチャネル部５に出力される。
【００１３】
次に、図１６に示す光ディスク記録再生装置におけるデータ書き込み処理動作を説明する。
書き込み処理動作時には、ホストインターフェースから送られるデータは、バッファメモリ８に格納される。そして、データの読み取り動作時と同様に、各セクタのヘッダー部１からアドレス情報を読み出すために、コントローラ部４からリードチャネル部５にリードゲート信号ＲＧが出力される。
【００１４】
リードチャネル部５では、リードゲート信号ＲＧに基づいて、各セクタのヘッダー部１からアドレス情報ＩＤを読み取って２値化し、かつ読み取りクロック信号ＲＣＬＫをコントローラ部４に出力する。コントローラ部４はアドレス情報ＩＤを再生する。
【００１５】
ヘッダー部１の読み取り動作に基づいて、書き込み処理対象セクタに到達したことが判別されると、コントローラ部４はバッファメモリ８から書き込むべきデータを読み出すとともに変調操作を施して、ライトチャネル部１０に書き込みデータＷＤとして出力する。また、コントローラ部４はライトチャネル部１０にライトゲート信号ＷＧ及びライトクロック信号ＷＣＬＫを出力する。
【００１６】
ライトチャネル部１０は、ライトゲート信号ＷＧに基づいて動作し、ライトクロック信号ＷＣＬＫに基づいて当該セクタのデータ部２に対し、ピックアップ７を介して書き込みデータＷＤの書き込みを行う。
【００１７】
上記のような書き込み処理動作時におけるリードゲート信号ＲＧ及びライトゲート信号ＷＧのタイムチャートと、消費電力の推移を図１９に従って説明する。
リードゲート信号ＲＧは、各セクタのヘッダー部１を読み取るタイミングで、リードチャネル部５に出力される。ライトゲート信号ＷＧは、ヘッダー部１の読み取り動作に基づいて、書き込み処理開始セクタ１１ａ及びそれに続く書き込み処理実行セクタ１１ｂであることが判別されると、ライトチャネル部１０に出力される。
【００１８】
リードチャネル部５は、リードゲート信号ＲＧの入力の有無に関わらず、常時スタンバイ電流ＲＳＴＢを消費している。また、ライトチャネル部１０はライトゲート信号ＷＧの入力の有無に関わらず、常時スタンバイ電流ＷＳＴＢを消費している。
【００１９】
リードチャネル部５は、リードゲート信号ＲＧの入力に基づいて、読み取り動作電流ＲＡＣＴを消費する。従って、ヘッダー部１からアドレス情報を読み出すとき、リードチャネル部５で読み取り動作電流ＲＡＣＴ及びスタンバイ電流ＲＳＴＢが消費されるともに、ライトチャネル部１０でスタンバイ電流ＷＳＴＢが消費される。
【００２０】
非書き込み対象セクタのデータ部では、リードチャネル部５及びライトチャネル部１０で、それぞれスタンバイ電流ＲＳＴＢ，ＷＳＴＢのみが消費される。
ライトチャネル部１０は、ライトゲート信号ＷＧの入力に基づいて、書き込み動作電流ＷＡＣＴを消費する。書き込み動作電流ＷＡＣＴは、読み取り動作電流ＲＡＣＴより大きな電流である。
【００２１】
従って、書き込み処理開始セクタ１１ａあるいは書き込み実行セクタ１１ｂ等の書き込み処理対象セクタのデータ部２では、スタンバイ電流ＲＳＴＢ，ＷＳＴＢに加えて、書き込み動作電流ＷＡＣＴが消費される。
【００２２】
このような動作により、書き込み処理対象セクタにおける書き込み動作時の消費電流が最も大きくなる。
次に、書き込み処理動作時におけるコントローラ部４でのセクタ管理動作を図２０に従って説明する。
【００２３】
書き込み処理動作の開始時に、書き込み開始アドレスの設定と、書き込み処理を行うセクタ数の設定と、Ｎｅｘｔセクタとして書き込み開始セクタの設定と、スキップフラグＳｋｉｐＦに「０」を設定することと、書き込み処理の実行中を示す実行中フラグＥｘｅｃＦに「０」を設定する処理が行われる（ステップ１）。
【００２４】
スキップフラグＳｋｉｐＦは、スキップセクタであることを示すフラグである。スキップセクタは、書き込み処理を行わないセクタとして、あらかじめ設定されているセクタであり、そのスキップセクタのアドレス情報は書き込み処理動作の開始時にコントローラ部４であらかじめ保持している。
【００２５】
次いで、ヘッダー部１からのアドレス情報ＩＤの読み取りを待つ状態となる（ステップ２）。ステップ２においてアドレス情報ＩＤが読み取られると、コントローラ部４は読み取ったアドレス情報ＩＤがＮｅｘｔセクタであるか否か、すなわち現時点では書き込み処理開始セクタであるか否かを判別する（ステップ３）。
【００２６】
ステップ３において、読み取ったアドレス情報ＩＤが書き込み処理開始セクタではない場合には、次にコントローラ部４は実行中フラグＥｘｅｃＦが「０」であるか否かを判別し（ステップ４）、次いで実行中フラグＥｘｅｃＦが「１」であるか否かを判別する（ステップ５）。
【００２７】
ここで、実行中フラグＥｘｅｃＦが「０」である場合には、未だ書き込み処理動作を開始していないので、ステップ２に復帰して、次のアドレス情報の読取りを待つ状態となる。
【００２８】
ステップ３において、読み取ったアドレス情報ＩＤがＮｅｘｔセクタである場合、すなわち書き込み処理開始セクタである場合には、次にコントローラ部４はスキップフラグＳｋｉｐＦが「０」であるか否かを判別する（ステップ６）。
【００２９】
ステップ６において、スキップフラグＳｋｉｐＦが「０」である場合には、Ｎｅｘｔセクタはスキップセクタではないので、ステップ７に移行して、実行中フラグＥｘｅｃＦに「１」を設定し、Ｎｅｘｔセクタのデータ部に対し書き込み処理動作を行う（ステップ８）。
【００３０】
次いで、コントローラ部４は処理セクタ数を「１」減算するとともに、Ｎｅｘｔセクタのアドレスを「１」加算する（ステップ９）。
次いで、コントローラ部４は処理セクタ数が「０」であるか否かを判別し（ステップ１０）、処理セクタ数が「０」ではない場合、すなわち書き込み処理すべきセクタが残っている場合には、ステップ１１に移行する。
【００３１】
ステップ１１において、Ｎｅｘｔセクタがスキップセクタではない場合には、スキップフラグＳｋｉｐＦを「０」とし（ステップ１２）、ステップ２に移行して次のセクタのアドレス情報ＩＤの読み取りを待つ状態となる。
【００３２】
ステップ１１において、Ｎｅｘｔセクタがスキップセクタである場合には、スキップフラグＳｋｉｐＦに「１」を設定するとともに、スキップセクタのアドレス情報を「１」更新し（ステップ１３）、ステップ２に移行する。
【００３３】
ステップ１３において、スキップフラグＳｋｉｐＦに「１」が設定され、ステップ２，３でＮｅｘｔセクタのアドレス情報ＩＤが正常に読み出されてステップ６に移行すると、ステップ６においてスキップフラグＳｋｉｐＦが「１」であると判別され、ステップ５に移行する。
【００３４】
そして、ステップ５において、実行中フラグＥｘｅｃＦが「１」であることが判別されると、コントローラ部４はＮｅｘｔセクタのアドレスを「１」加算し（ステップ１４）、ステップ１１に移行する。
【００３５】
このような動作により、スキップセクタのアドレス情報ＩＤが読み取られたときは、ステップ７〜１０が省略されて、スキップセクタへの書き込み処理動作が省略される。
【００３６】
上記のように、各セクタに対する書き込み処理動作が順次行われ、ステップ１０において、処理セクタ数が「０」であると判別されると、コントローラ部４は書き込み処理を終了する。
【００３７】
また、ステップ３において、読み取られたアドレス情報ＩＤがＮｅｘｔセクタのアドレスではなく、かつ実行中フラグＥｘｅｃＦが「１」である場合には、書き込み処理動作の実行中でありながら、セクタの連続性が失われていることを意味する。
【００３８】
この場合には、コントローラ部４はステップ４からステップ１５に移行して、エラー報告を行い、書き込み処理動作を終了する。
このようなコントローラ部４の動作に基づいて、書き込み処理動作が行われる。
【００３９】
上記のような光ディスク記録再生装置において、データの読み取り動作時には、ライトチャネル部１０を動作させておく必要はない。従って、読み取り動作時には、ＣＰＵ３によりライトチャネル部１０をパワーダウンモードとしたり、あるいは電力の供給を停止したりすることにより、消費電力の低減を図ることが可能となる。
【００４０】
【発明が解決しようとする課題】
上記のような光ディスク記録再生装置において、データの書き込み処理動作時には、アドレス情報ＩＤを読み取るために、リードチャネル部５を動作させる必要があるとともに、ライトチャネル部１０も同時に動作させる必要がある。
【００４１】
また、データの書き込み処理動作は、読み取り動作に比べてピックアップ７の駆動電流を大きくする必要があるため、消費電力のピーク値が高くなる。
すなわち、図１９に示すように、書き込み処理動作時にはリードチャネル部５のスタンバイ電流ＲＳＴＢ、ライトチャネル部１０のスタンバイ電流ＷＳＴＢ及び書き込み動作電流ＷＡＣＴが流れ、消費電流が最も大きくなる。
【００４２】
この結果、ＵＳＢ規格、あるいはＩＥＥＥ１３９４規格によるバス給電時には、消費電力のピーク値がバス給電の仕様に適合しない場合がある。
そこで、書き込み処理動作時にリードチャネル部５の動作を細かく制御して消費電力を低減することが考えられる。
【００４３】
例えば、各セクタのヘッダー部１からアドレス情報ＩＤを読み取った後、データ部２への書き込み動作時にはリードチャネル部５をパワーダウンするようにＣＰＵ３で制御する。
【００４４】
ところが、このような制御を行うと、ＣＰＵ３に対する負荷が増大するため、システム全体のデータ処理能力あるいは動作速度が低下するという問題点がある。
【００４５】
また、リードチャネル部５は、ＰＬＬ回路やＡ／Ｄ変換器を搭載しているため、パワーダウンモードを解除してから、これらの回路の動作が安定するまでに、所定の時間を要する。
【００４６】
従って、リードチャネル部５のパワーダウンモードをリードゲート信号ＲＧの入力に基づいて解除するようにすると、ＰＬＬ回路やＡ／Ｄ変換器の動作が不安定な状態でアドレス情報ＩＤの読み取り動作を行うことになり、読み取ったアドレス情報ＩＤの精度が低下するという問題点がある。
【００４７】
また、例えば各セクタのヘッダー部１からアドレス情報ＩＤを読み取り、現在位置と書き込み開始セクタの位置関係とを認識した後、書き込み処理動作が終了するまでリードチャネル部５をパワーダウンモードとすれば、ＣＰＵ３に対する負荷をそれほど増大させることはない。
【００４８】
しかし、書き込み処理対象となるセクタに対し、リードチャネル部５をパワーダウンモードとするので、アドレス情報ＩＤを読み取ることなく、書き込み処理を行うことになる。従って、書き込み処理を行っているセクタのアドレスの連続性を確認することができないため、書き込まれたデータの信頼性が低下するという問題点がある。
【００４９】
この発明の目的は、書き込み処理動作の精度を低下させることなく、書き込み処理動作時の消費電力を低減し得るデータ書き込み装置を提供することにある。
【００５０】
【課題を解決するための手段】
図１に示すように、リードチャネル部５は、記録媒体６上の複数のセクタからアドレス情報の読み取り動作を行い、ライトチャネル部１０は、前記各セクタにデータの書き込み処理動作を行う。コントローラ部４は、データの書き込み処理動作時には前記リードチャネル部５を動作させてアドレス情報を読み取り、該アドレス情報に基づいて前記ライトチャネル部１０により前記セクタに書き込み処理動作を行う。前記コントローラ部４には、前記リードチャネル部５の動作を停止させるパワーダウン信号ＰＤを該リードチャネル部５に出力するパワーダウン制御部１２ａが設けられ、前記パワーダウン制御部１２ａはデータの書き込み処理動作時に、一部のセクタにおいてのみアドレス情報の読み取りを行うように前記パワーダウン信号ＰＤを前記リードチャネル部５に出力する。
【００５１】
【発明の実施の形態】
（第一の実施の形態）
以下、この発明を具体化した光ディスク記録再生装置の第一の実施の形態を説明する。なお、前記従来例と同一構成部分は、同一符号を付して説明する。
【００５２】
図１は、光ディスク記録再生装置の概要を示す。コントローラ部４は、ＣＰＵ３の制御に基づいて動作し、読み取り動作時及び書き込み処理動作時にはリードチャネル部５の動作を制御する。
【００５３】
すなわち、読み取り動作時あるいは書き込み処理動作時に、コントローラ部４からリードチャネル部５にリードゲート信号ＲＧが出力される。リードチャネル部５はリードゲート信号ＲＧの入力に基づいて動作し、記録媒体６からピックアップ７を介してデータの読み取り動作を行う。
【００５４】
読み取り動作時に記録媒体６から読み出されるデータは、各セクタのヘッダー部１から読み出されるアドレス情報ＩＤと、データ部２から読み出されるデータであり、書き込み処理動作時に記録媒体６から読み出されるデータは、アドレス情報ＩＤのみとなる。
【００５５】
リードチャネル部５は、記録媒体６から読み取ったデータに基づいて、読み取りデータＲＤ及び読み取りクロック信号ＲＣＬＫを生成して、コントローラ部４に出力する。
【００５６】
コントローラ部４は、読み取りデータＲＤをバッファメモリ８を介してホストインターフェースに出力する。
コントローラ部４は、書き込み処理動作時にはＣＰＵ３の制御に基づいてライトチャネル部１０の動作を制御する。
【００５７】
すなわち、書き込み処理動作時にコントローラ部４からライトチャネル部１０に、ライトゲート信号ＷＧと、書き込みクロック信号ＷＣＬＫと、書き込みデータＷＤが入力される。
【００５８】
ライトチャネル部１０は、ライトゲート信号ＷＧの入力に基づいて動作し、書き込みデータＷＤを書き込みクロック信号ＷＣＬＫに基づいて、記録媒体６に書き込む書き込み処理動作を行う。
【００５９】
前記コントローラ部４には、書き込み処理動作時に前記リードチャネル部５の動作を制御して消費電力の低減を図るパワーダウン制御部１２ａが設けられ、そのパワーダウン制御部１２ａからリードチャネル部５にパワーダウン信号ＰＤが入力される。
【００６０】
リードチャネル部５は、パワーダウン信号ＰＤの入力に基づいて、パワーダウンモードとなり、スタンバイ電流ＲＳＴＢ及び読み取り動作電流ＲＡＣＴを一切消費しない状態となる。
【００６１】
前記パワーダウン制御部１２ａの構成を図２に従って説明する。セクタカウンタ１３は、各セクタの長さをカウントすることにより、ピックアップ７が記録媒体６上のどの位置にあるかをカウント値ＳＣとして出力するものであり、そのカウント値ＳＣは第一の検出部１４と、第二の検出部１５とに入力される。
【００６２】
前記第一の検出部１４には、各セクタのアドレス情報ＩＤが記録されているヘッダー部１上をピックアップ７が通過するタイミングを示す通過タイミング設定値ＳＵ１が入力されている。そして、第一の検出部１４は前記カウント値ＳＣと通過タイミング設定値ＳＵ１とを比較し、両者が一致したとき通過検出信号ＰＡＳＳをフリップフロップ回路１６を介してコントローラ部４に出力する。
【００６３】
従って、第一の検出部１４はピックアップ７が各セクタのヘッダー部を通過する度に、通過検出信号ＰＡＳＳをコントローラ部４に出力する。
前記第二の検出部１５には、パワーダウン信号ＰＤをオフ状態とするタイミングを設定するオフタイミング設定値ＳＵ２が入力されている。そして、第二の検出部１５は前記カウント値ＳＣとオフタイミング設定値ＳＵ２とを比較し、両者が一致したとき解除信号ＣＳＬを出力する。
【００６４】
前記解除信号ＣＳＬはＡＮＤ回路１７（論理回路）に入力され、そのＡＮＤ回路１７にはパワーダウン設定信号ＰＤｓの反転信号が入力される。前記パワーダウン設定信号ＰＤｓは、パワーダウンモードを設定するときに、「１」すなわちＨレベルとなる信号として、前記コントローラ部４から出力される。
【００６５】
前記パワーダウン設定信号ＰＤｓは、ＪＫフリップフロップ回路１８にＯＮ信号として入力され、そのＪＫフリップフロップ回路１８に前記ＡＮＤ回路１７の出力信号がＯｆｆ信号として入力される。
【００６６】
前記ＪＫフリップフロップ回路１８は、パワーダウン設定信号ＰＤｓがＨレベルとなると、Ｈレベルのパワーダウン信号ＰＤを出力する。パワーダウン設定信号ＰＤｓがＬレベルとなり、かつ前記解除信号ＣＳＬがＨレベルとなって、ＡＮＤ回路１７の出力信号がＨレベルとなるとき、Ｌレベルのパワーダウン信号ＰＤを出力する。
【００６７】
次に、上記のように構成された光ディスク記録再生装置において、書き込み処理動作時におけるコントローラ部４でのセクタ管理動作を図４に従って説明する。
【００６８】
書き込み処理動作の開始時に、書き込み開始アドレスの設定と、書き込み処理を行うセクタ数の設定と、Ｎｅｘｔセクタとして書き込み開始セクタの設定と、スキップフラグＳｋｉｐＦに「０」を設定することと、書き込み処理の実行中を示す実行中フラグＥｘｅｃＦに「０」を設定する処理が行われる。また、パワーダウン設定信号ＰＤｓが「０」、すなわちＬレベルに設定される（ステップ２１）。
【００６９】
スキップフラグＳｋｉｐＦは、スキップセクタであることを示すフラグである。スキップセクタは、欠陥セクタ等の書き込み処理を行わないセクタとして、あらかじめ設定されているセクタであり、そのスキップセクタのアドレス情報は書き込み処理動作の開始時にコントローラ部４であらかじめ保持している。
【００７０】
次いで、ヘッダー部１からのアドレス情報ＩＤの読み取りを待つ状態となる（ステップ２２）。ステップ２２においてアドレス情報ＩＤが読み取られると、コントローラ部４は読み取ったアドレス情報ＩＤがＮｅｘｔセクタであるか否か、すなわち現時点では書き込み開始セクタであるか否かを判別する（ステップ２３）。
【００７１】
ステップ２３において、読み取ったアドレス情報ＩＤが書き込み開始セクタではない場合には、次にコントローラ部４は実行中フラグＥｘｅｃＦが「０」であるか否かを判別し（ステップ２４）、次いで実行中フラグＥｘｅｃＦが「１」であるか否かを判別する（ステップ２５）。
【００７２】
ここで、実行中フラグＥｘｅｃＦが「０」である場合には、未だ書き込み処理動作を開始していないので、ステップ２２に復帰して、次のアドレス情報ＩＤの読取りを待つ状態となる。
【００７３】
ステップ２３において、読み取ったアドレス情報ＩＤがＮｅｘｔセクタである場合、すなわち書き込み処理開始セクタである場合には、次にコントローラ部４はスキップフラグＳｋｉｐＦが「０」であるか否かを判別する（ステップ２６）。
【００７４】
ステップ２６において、スキップフラグＳｋｉｐＦが「０」である場合には、Ｎｅｘｔセクタはスキップセクタではないので、ステップ２７に移行して、実行中フラグＥｘｅｃＦに「１」を設定するとともに、パワーダウン設定信号ＰＤｓを「１」すなわちＨレベルとする（ステップ２７）。
【００７５】
パワーダウン設定信号ＰＤｓがＨレベルとなると、パワーダウン制御部１２ａから出力されるパワーダウン信号ＰＤはＨレベルとなる。すると、リードチャネル部５はパワーダウンモードとなり、読み取り動作電流ＲＡＣＴ及びスタンバイ電流ＲＳＴＢが消費されない状態となる。従って、書き込み処理開始セクタのヘッダー部１からアドレス情報ＩＤを読み取った後は、リードチャネル部５の動作が停止する。そして、Ｎｅｘｔセクタすなわち書き込み処理開始セクタのデータ部２に対し書き込み処理動作を行う（ステップ２８）。
【００７６】
次いで、コントローラ部４は処理セクタ数を「１」減算するとともに、Ｎｅｘｔセクタのアドレスを「１」加算する（ステップ２９）。
次いで、コントローラ部４は処理セクタ数が「０」であるか否かを判別し（ステップ３０）、処理セクタ数が「０」ではない場合、すなわち書き込み処理すべきセクタが残っている場合には、ステップ３１に移行する。
【００７７】
ステップ３１において、Ｎｅｘｔセクタがスキップセクタであるか否かを判別し、スキップセクタではない場合には、スキップフラグＳｋｉｐＦを「０」とし（ステップ３２）、ステップ３４に移行する。
【００７８】
ステップ３４では、Ｎｅｘｔセクタのヘッダー部１を通過したか否か、すなわちコントローラ部４で通過検出信号ＰＡＳＳを検出したか否かを判別する。そして、通過検出信号ＰＡＳＳを検出すると、ステップ２６に移行する。
【００７９】
ステップ２６では、今、スキップフラグＳｋｉｐＦが「０」であるので、ステップ２７に移行する。そして、Ｎｅｘｔセクタがスキップセクタとなるまで、ステップ２６〜３２及びステップ３４の動作が繰り返される。
【００８０】
この状態では、書き込み処理開始セクタを除いて、各セクタのヘッダー部１からアドレス情報ＩＤを読み取ることなく、各セクタのデータ部２に対し書き込み処理動作が行われる。
【００８１】
ステップ３１において、Ｎｅｘｔセクタがスキップセクタである場合には、スキップフラグＳｋｉｐＦに「１」を設定するとともに、スキップセクタのアドレスを更新し（ステップ３３）、ステップ３４に移行する。
【００８２】
そして、ステップ３４でＮｅｘｔセクタのヘッダー部１の通過を検出してステップ２６に移行すると、今、スキップフラグＳｋｉｐＦは「１」であるので、ステップ２５に移行する。
【００８３】
ステップ２５において、実行中フラグＥｘｅｃＦの判別を行い、今、実行中フラグＥｘｅｃＦは「１」であるので、ステップ３５に移行する。ステップ３５ではＮｅｘｔセクタのアドレスを「１」加算するとともに、パワーダウン設定信号ＰＤｓを「０」すなわちＬレベルとする。
【００８４】
次いで、ステップ３６においてステップ３１〜３３と同様な処理を行った後、ステップ２２に復帰する。
従って、スキップセクタの次のセクタでは、ヘッダー部１からのアドレス情報ＩＤの読み取りが行われる。
【００８５】
このとき、ステップ３５において、パワーダウン設定信号ＰＤｓがＬレベルとなり、オフタイミング設定値ＳＵ２に基づいて解除信号ＣＳＬがＨレベルとなるので、パワーダウン制御部１２ａにおいてＡＮＤ回路１７の出力信号がＨレベルとなる。　　　すると、パワーダウン信号ＰＤは、図３に示すように、スキップセクタ１１ｃの次のセクタのヘッダー部１の読み取り動作に先立ってＬレベルとなる。
【００８６】
このような動作により、ヘッダー部１の読み取りに先立ってリードチャネル部５にスタンバイ電流ＲＳＴＢが供給される。
また、ステップ２３において、読み取られたアドレス情報ＩＤがＮｅｘｔセクタのアドレスではなく、かつ実行中フラグＥｘｅｃＦが「１」である場合には、書き込み処理動作の実行中でありながら、セクタの連続性が失われていることを意味する。
【００８７】
この場合には、コントローラ部４はステップ２４からステップ３７に移行して、エラー報告を行い、書き込み処理動作を終了する。
このようなコントローラ部４の動作に基づいて、書き込み処理動作が行われる。
【００８８】
上記のように構成された光ディスク記録再生装置では、次に示す作用効果を得ることができる。
（１）図３に示すように、書き込み処理開始セクタ１１ａのアドレス情報ＩＤを読み取った後は、パワーダウン信号ＰＤをＨレベルとしてリードチャネル部５の動作を停止させ、リードチャネル部５でのスタンバイ電流ＲＳＴＢ及び読み取り動作電流ＲＡＣＴの消費を無くすことができる。従って、書き込み処理動作時の消費電力を低減することができる。
（２）書き込み処理開始セクタ１１ａ及び書き込み処理実行セクタ１１ｂでの書き込み処理動作時には、リードチャネル部５でのスタンバイ電流ＲＳＴＢの消費を無くすことができる。従って、書き込み処理動作時には書き込み動作電流ＷＡＣＴ及びスタンバイ電流ＷＳＴＢのみが消費されるので、消費電流のピーク値を抑制することができる。
（３）書き込み処理開始セクタ１１ａを除いて、書き込み処理実行セクタ１１ｂでリードチャネル部５の動作を停止してアドレス情報ＩＤの読み取りを省略するので、アドレス情報ＩＤの読み取りに要する消費電力を低減することができる。
（４）スキップセクタ１１ｃが現れたとき、その次の書き込み処理実行セクタ１１ｂのアドレス情報ＩＤを読み取って、Ｎｅｘｔセクタとしてのアドレスの期待値と比較することにより、アドレスの連続性を確認することができる。
（５）スキップセクタ１１ｃの次の書き込み処理実行セクタ１１ｂのアドレス情報ＩＤを読み取るとき、その読み取りに先立ってパワーダウン信号ＰＤをＬレベルとして、リードチャネル部５のパワーダウンモードを解除することができる。従って、リードチャネル部５にスタンバイ電流ＲＳＴＢを供給してその動作を安定化させた後に、アドレス情報ＩＤの読み取り動作を行うことができるので、アドレス情報ＩＤの読み取り動作の精度を向上させることができる。
【００８９】
（第二の実施の形態）
図５は、第二の実施の形態における書き込み処理動作時の消費電力のタイムチャートを示す。前記第一の実施の形態では、スキップセクタ１１ｃの次の書き込み処理実行セクタ１１ｂのアドレス情報ＩＤを読み取ることにより、アドレスの連続性を確認する構成としたが、この実施の形態では所定数おきのセクタでアドレス情報ＩＤを読み取る構成としたものである。パワーダウン制御部は、図１及び図２に示す構成と同様である。
【００９０】
次に、書き込み動作時におけるコントローラ部４でのセクタ管理動作を図６及び図７に従って説明する。
書き込み動作の開始時に、書き込み開始アドレスの設定と、書き込み処理を行うセクタ数の設定と、Ｎｅｘｔセクタとして書き込み開始セクタの設定と、スキップフラグＳｋｉｐＦに「０」を設定することと、書き込み処理の実行中を示す実行中フラグＥｘｅｃＦに「０」を設定する処理が行われる。また、パワーダウン設定信号ＰＤｓが「０」、すなわちＬレベルに設定され、セクタカウント値ＰＤｃｎｔが「０」に設定される（ステップ４１）。
【００９１】
次いで、ヘッダー部１からのアドレス情報ＩＤの読み取りを待つ状態となる（ステップ４２）。ステップ４２においてアドレス情報ＩＤが読み取られると、コントローラ部４は読み取ったアドレス情報ＩＤがＮｅｘｔセクタであるか否か、すなわち現時点では書き込み開始セクタであるか否かを判別する（ステップ４３）。
【００９２】
ステップ４３において、読み取ったアドレス情報ＩＤが書き込み開始セクタではない場合には、次にコントローラ部４は実行中フラグＥｘｅｃＦが「０」であるか否かを判別し（ステップ４４）、次いで実行中フラグＥｘｅｃＦが「１」であるか否かを判別する（ステップ４５）。
【００９３】
ここで、実行中フラグＥｘｅｃＦが「０」である場合には、未だ書き込み処理動作を開始していないので、ステップ４２に復帰して、次のアドレス情報の読取りを待つ状態となる。
【００９４】
ステップ４３において、読み取ったアドレス情報ＩＤがＮｅｘｔセクタである場合、すなわち書き込み処理開始セクタである場合には、次にコントローラ部４はスキップフラグＳｋｉｐＦが「０」であるか否かを判別する（ステップ４６）。
【００９５】
ステップ４６において、スキップフラグＳｋｉｐＦが「０」である場合には、Ｎｅｘｔセクタはスキップセクタではないので、ステップ４７に移行して、実行中フラグＥｘｅｃＦに「１」を設定するとともに、パワーダウン設定信号ＰＤｓを「１」すなわちＨレベルとする（ステップ４７）。
【００９６】
パワーダウン設定信号ＰＤｓがＨレベルとなると、パワーダウン制御部１２ａから出力されるパワーダウン信号ＰＤはＨレベルとなる。すると、リードチャネル部５はパワーダウンモードとなり、読み取り動作電流ＲＡＣＴ及びスタンバイ電流ＲＳＴＢが消費されない状態となる。従って、書き込み処理開始セクタのヘッダー部１からアドレス情報ＩＤを読み取った後は、リードチャネル部５の動作が停止する。そして、Ｎｅｘｔセクタすなわち書き込み処理開始セクタのデータ部２に対し書き込み処理動作を行う（ステップ４８）。
【００９７】
次いで、コントローラ部４は処理セクタ数を「１」減算するとともに、Ｎｅｘｔセクタのアドレスを「１」加算する（ステップ４９）。
次いで、コントローラ部４は処理セクタ数が「０」であるか否かを判別し（ステップ５０）、処理セクタ数が「０」ではない場合、すなわち書き込み処理すべきセクタが残っている場合には、ステップ５１に移行する。
【００９８】
ステップ５１において、Ｎｅｘｔセクタがスキップセクタであるか否かを判別し、スキップセクタではない場合には、スキップフラグＳｋｉｐＦを「０」とし（ステップ５２）、ステップ５４に移行する。
【００９９】
ステップ５１において、Ｎｅｘｔセクタがスキップセクタである場合には、スキップフラグＳｋｉｐＦに「１」を設定するとともに、スキップセクタのアドレスを更新し（ステップ５３）、ステップ５４に移行する。
【０１００】
ステップ５４では、セクタカウント値ＰＤｃｎｔが「１」加算され、次いでセクタカウント値ＰＤｃｎｔがｎに達したか否かを判別する（ステップ５５）。
ステップ５５でセクタカウント値ＰＤｃｎｔがｎに達していない場合には、ステップ５６に移行して、Ｎｅｘｔセクタのヘッダー部１の通過を検出してステップ４６に移行し、Ｎｅｘｔセクタがスキップセクタであるか否かを判別する。
【０１０１】
ステップ４６において、Ｎｅｘｔセクタがスキップセクタでない場合には、ステップ４７〜ステップ５５を繰り返す。また、ステップ４６においてＮｅｘｔセクタがスキップセクタである場合には、ステップ４５に移行して、実行中フラグＥｘｅｃＦが「１」であるか否かを判別し、今、実行中フラグＥｘｅｃＦは「１」であるので、ステップ５８に移行する。
【０１０２】
ステップ５８では、Ｎｅｘｔセクタのアドレス値に「１」を加算し、ステップ５１に移行する。従って、スキップセクタでは書き込み処理を行わず、ステップ５１で新たなＮｅｘｔセクタがスキップセクタであるか否かを判別する。
【０１０３】
ステップ５５において、セクタカウント値ＰＤｃｎｔがｎに達した場合には、ステップ５７に移行して、パワーダウン設定信号ＰＤｓを「０」すなわちＬレベルとするとともに、セクタカウント値ＰＤｃｎｔを「０」にリセットして、ステップ４２に移行する。
【０１０４】
そして、Ｎｅｘｔセクタのアドレス情報ＩＤが読み取られ、スキップセクタでなければ、書き込み処理動作が行われる。
ステップ４３において、読み取られたアドレス情報ＩＤがＮｅｘｔセクタのアドレスではなく、かつ実行中フラグＥｘｅｃＦが「１」である場合には、書き込み処理動作の実行中でありながら、セクタの連続性が失われていることを意味する。
【０１０５】
この場合には、コントローラ部４はステップ４４からステップ５９に移行して、エラー報告を行い、書き込み処理動作を終了する。
このような動作により、例えばｎ＝２に設定した場合、図５に示すように、一つおきの書き込み処理実行セクタ１１ｂのアドレス情報ＩＤが読み取られ、その他の書き込み処理実行セクタ１１ｂのアドレス情報ＩＤの読み取り動作が省略される。
【０１０６】
上記のように構成された光ディスク記録再生装置では、次に示す作用効果を得ることができる。
（１）図５に示すように、書き込み処理開始セクタのアドレス情報ＩＤを読み取った後は、「ｎ」で設定される所定数おきの書き込み処理実行セクタ１１ｂにおいてのみアドレス情報ＩＤの読み取り動作が行われる。アドレス情報ＩＤの読み取りを行わないセクタでは、パワーダウン信号ＰＤをＨレベルとしてリードチャネル部５の動作を停止させ、リードチャネル部５でのスタンバイ電流ＲＳＴＢ及び読み取り動作電流ＲＡＣＴの消費を無くすことができる。従って、書き込み処理動作時の消費電力を低減することができる。
（２）ｎセクタおきの書き込み処理実行セクタ１１ｂを除いて、書き込み処理実行セクタ１１ｂでリードチャネル部５の動作を停止してアドレス情報ＩＤの読み取りを省略するので、アドレス情報ＩＤの読み取りに要する消費電力を低減することができる。
（３）ｎセクタおきの書き込み処理実行セクタ１１ｂのアドレス情報ＩＤを読み取って、Ｎｅｘｔセクタとしてのアドレスの期待値と比較することにより、アドレスの連続性を確認することができる。
（４）ｎセクタおきの書き込み処理実行セクタ１１ｂのアドレス情報ＩＤを読み取るとき、その読み取りに先立ってリードチャネル部５のパワーダウンモードを解除することができる。従って、リードチャネル部５の動作を安定化させた後に、アドレス情報ＩＤの読み取り動作を行うことができるので、アドレス情報ＩＤの読み取り動作の精度を向上させることができる。
（第三の実施の形態）
この実施の形態は、図９に示すように、書き込み処理開始セクタ１１ａを除いて、書き込み処理実行セクタ１１ｂのヘッダー部１の読み取り動作を行う際、ヘッダー部１の後半部のみを読み取り、ヘッダー部１の前半部を読み取る時間はリードチャネル部５の動作を安定化させるために使用するものである。
【０１０７】
図８は、この実施の形態のパワーダウン制御部１２ｂの構成を示す。セクタカウンタ１３は、前記第一の実施の形態と同様な構成であり、そのカウント値ＳＣは第三及び第四の検出部１９，２０に出力される。
【０１０８】
設定信号ＳＵ３は、書き込み処理開始セクタ１１ａにおけるリードゲート信号ＲＧの立上がりのタイミングを設定するための信号であり、コントローラ部４で設定されて、選択回路２１に入力される。
【０１０９】
設定信号ＳＵ４は、書き込み処理開始セクタ１１ａ以外の書き込み処理実行セクタ１１ｂにおけるリードゲート信号ＲＧの立上がりのタイミングを設定するための信号であり、コントローラ部４で設定されて、選択回路２１に入力される。また、実行中フラグＥｘｅｃＦが選択回路２１に入力される。
【０１１０】
選択回路２１は、実行中フラグＥｘｅｃＦが「０」であるとき、すなわち書き込み処理開始セクタ１１ａの書き込み処理を行うとき、設定信号ＳＵ３を選択して第三の検出部１９に出力する。実行中フラグＥｘｅｃＦが「１」であるとき、すなわち書き込み処理実行セクタ１１ｂの書き込み処理を行うとき、設定信号ＳＵ４を選択して第三の検出部１９に出力する。
【０１１１】
設定信号ＳＵ５は、リードゲート信号ＲＧの立下りのタイミングを設定するための信号であり、コントローラ部４で設定されて、第三の検出部１９に入力される。
【０１１２】
第三の検出部１９は、選択回路２１から出力される出力信号ＳＵ３，ＳＵ４及び設定信号ＳＵ５と、セクタカウンタ１３のカウント値ＳＣとを比較する。そして、選択回路２１から出力される設定信号ＳＵ３またはＳＵ４とカウント値ＳＣとが一致した場合には、ＪＫフリップフロップ回路２２にＯＮ信号を出力し、設定信号ＳＵ５とカウント値ＳＣとが一致した場合には、ＪＫフリップフロップ回路２２にＯｆｆ信号を出力する。
【０１１３】
従って、図９に示すように、書き込み処理開始セクタ１１ａでは、リードゲート信号ＲＧは、設定信号ＳＵ３によりヘッダー部１の読み取り開始とともに立上がり、ヘッダー部１の読み取り終了とともに立ち下がるように設定される。
【０１１４】
また、書き込み処理実行セクタ１１ｂでは、リードゲート信号ＲＧは、設定信号ＳＵ４によりヘッダー部１の中間部において立上がり、ヘッダー部１の読み取り終了とともに立ち下がるように設定される。
【０１１５】
第四の検出部２０には、パワーダウン信号ＰＤの立上がりを設定する設定信号ＳＵ６と、立下りを設定する設定信号ＳＵ７と、実行中フラグＥｘｅｃＦとが入力される。
第四の検出部２０は、実行中フラグＥｘｅｃＦが「１」であるとき、すなわち書き込み処理開始セクタ１１ａのヘッダー部１が読み取られて以降、設定信号ＳＵ６，ＳＵ７とカウント値ＳＣとを比較する。
【０１１６】
そして、設定信号ＳＵ６とカウント値ＳＣとが一致すると、ＯＮ信号をＪＫフリップフロップ回路２３に出力し、設定信号ＳＵ７とカウント値ＳＣとが一致すると、Ｏｆｆ信号をＪＫフリップフロップ回路２３に出力する。
【０１１７】
従って、図９に示すように、書き込み処理動作時にはパワーダウン信号ＰＤはヘッダー部１の読み取り動作の終了とともに立上がり、書き込み処理動作の終了とともに立ち下がるように設定される。
【０１１８】
また、実行中フラグＥｘｅｃＦが「０」であるとき、すなわちデータの読み取り動作時には第四の検出部２０はＯＮ信号及びＯｆｆ信号を出力しないので、パワーダウン信号ＰＤが立ち上がることはない。
【０１１９】
この実施の形態におけるコントローラ部４のセクタ管理動作は、図２０に示す従来例と同様である。
上記のようなパワーダウン制御部１２ｂの動作に基づく書き込み処理動作を図９に示す。書き込み処理開始セクタ１１ａを除く書き込み処理実行セクタ１１ｂでは、その前のセクタの書き込み処理動作の終了とともにパワーダウン信号ＰＤが立ち下がってリードチャネル部５にスタンバイ電流ＲＳＴＢの供給が開始される。
【０１２０】
リードゲート信号ＲＧは、ヘッダー部１の後半部においてのみＨレベルとなるため、ヘッダー部１の後半部からアドレス情報ＩＤが読み取られる。ヘッダー部１の前半部では読み取り動作電流ＲＡＣＴは流れず、スタンバイ電流ＲＳＴＢのみが流れる。
【０１２１】
上記のように構成された光ディスク記録再生装置では、次に示す作用効果を得ることができる。
（１）パワーダウン信号ＰＤにより、書き込み処理開始セクタ１１ａ及び書き込み処理実行セクタ１１ｂのデータ部２への書き込み処理動作時に、リードチャネル部５ではスタンバイ電流ＲＳＴＢを消費しない。従って、書き込み処理動作時の消費電力を低減することができる。
（２）書き込み処理動作時における書き込み処理実行セクタ１１ｂからのアドレス情報ＩＤの読み取り動作は、各セクタのヘッダー部１の後半部においてのみ行う。従って、リードチャネル部５で消費する読み取り動作電流ＲＡＣＴを削減して、書き込み処理動作時の消費電力を低減することができる。
（３）書き込み処理実行セクタ１１ｂのヘッダー部１の前半部では、リードチャネル部５にスタンバイ電流ＲＳＴＢを供給するので、ヘッダー部１からのアドレス情報ＩＤの読み取り動作時には、リードチャネル部５の動作を安定化させることができる。
（４）書き込み処理開始セクタ１１ａ及び書き込み処理実行セクタ１１ｂのデータ部２に対する書き込み処理動作時には、リードチャネル部５にスタンバイ電流ＲＳＴＢを供給しないので、書き込み処理動作時の消費電流のピーク値を抑制することができる。
（５）各セクタのヘッダー部１には、図１７に示すように、複数組のアドレス情報ＩＤが格納されている。従って、各ヘッダー部１の後半部においてのみアドレス情報ＩＤの読み取り動作を行っても、アドレス情報ＩＤの読み取りを行うことができる。
（第四の実施の形態）
図１０〜図１３は第四の実施の形態を示す。この実施の形態は、書き込み処理動作時には、書き込み処理開始セクタを除いて、アドレス情報ＩＤの読み取りを省略し、書き込み処理実行セクタへの書き込み処理動作の終了後、直ちに次セクタのアドレス情報を読み取って、アドレスの連続性を確認する構成としたものである。
【０１２２】
図１０は、この実施の形態のパワーダウン制御部１２ｃを示す。このパワーダウン制御部１２ｃの構成は、フリップフロップ回路１６に対し、実行中フラグＥｘｅｃＦがＯＮ信号として入力され、ＡＮＤ回路１７に実行中フラグＥｘｅｃＦの反転信号が入力される点を除いて、前記第一の実施の形態のパワーダウン制御部１２ａと同一構成である。
【０１２３】
このような構成により、実行中フラグＥｘｅｃＦが「１」すなわちＨレベルとなると、パワーダウン信号ＰＤがＨレベルとなり、第二の検出部１５がＨレベルの解除信号ＣＳＬを出力している状態で、実行中フラグＥｘｅｃＦが「０」すなわちＬレベルとなると、パワーダウン信号ＰＤがＬレベルとなる。その他の動作は、第一の実施の形態のパワーダウン制御部１２ａと同様である。
【０１２４】
上記のようなパワーダウン制御部１２ｃを備えたコントローラ部４のセクタ管理動作を図１２及び図１３に従って説明する。
図１２及び図１３において、ステップ６１〜ステップ７５の動作は、図２０に示す従来例の書き込み処理動作と同様であり、ステップ７６からステップ６４に移行する動作は、図４に示すステップ３４からステップ２６に移行する動作と同様である。
【０１２５】
従って、書き込み処理動作が開始されると、書き込み処理開始セクタ１１ａのアドレス情報ＩＤを読み取った後は、後続の書き込み処理実行セクタ１１ｂのアドレス情報ＩＤの読み取り動作は省略される。
【０１２６】
そして、スキップセクタ１１ｃを除いて、各セクタのデータ部２に書き込み処理動作が行われる。
ステップ６８において、処理セクタ数が０となると、ステップ７７に移行して、実行中フラグＥｘｅｃＦが「０」にリセットされる。このとき、図１１に示すように、書き込み処理実行セクタ１１ｂの最終セクタに対する書き込み処理動作が終了している。
【０１２７】
そして、実行中フラグＥｘｅｃＦがＬレベルとなると、パワーダウン制御部１２ｃの動作によりパワーダウン信号ＰＤがＬレベルに立下り、リードチャネル部５にスタンバイ電流ＲＳＴＢが流れ始める。
【０１２８】
次いで、コントローラ部４はステップ７８に移行して、次セクタのアドレス情報ＩＤの読み取り動作を行う。そして、読み取ったアドレス情報ＩＤがＮｅｘｔセクタとしてのアドレスの期待値と一致すれば、書き込み処理動作が正常に行われたことを判別して、書き込み処理動作を終了する（ステップ７９）。
【０１２９】
また、ステップ７９において、読み取ったアドレス情報ＩＤが期待値と一致しない場合には、ステップ８０において、期待値以外のアドレス値と一致するか否かを判別する。
【０１３０】
そして、期待値以外のアドレス値と一致する場合には、エラー報告を行い、書き込み処理動作を終了する（ステップ８１）。
また、期待値以外のいずれのアドレス値とも一致しない場合には、アドレス情報ＩＤの読み取りに失敗したと判別して、Ｎｅｘｔセクタのアドレス値に「１」を加算し（ステップ８２）、ステップ７８に移行する。
【０１３１】
そして、さらに次セクタのアドレス情報ＩＤの読み取りを行い、同様な処理を行い、期待値と一致すれば、書き込み処理動作が正常に行われたことを判別して、書き込み処理動作を終了する。
【０１３２】
上記のように構成された光ディスク記録再生装置では、次に示す作用効果を得ることができる。
（１）図１１に示すように、書き込み処理開始セクタのアドレス情報ＩＤを読み取った後は、リードチャネル部５の動作を停止させて、リードチャネル部５でのスタンバイ電流ＲＳＴＢ及び読み取り動作電流ＲＡＣＴの消費を無くすことができる。従って、書き込み処理動作時の消費電力を低減することができる。
（２）書き込み処理実行セクタ１１ｂでの書き込み動作時には、リードチャネル部５でのスタンバイ電流ＲＳＴＢの消費を無くすことができる。従って、書き込み処理動作時の消費電流のピーク値を抑制することができる。
（３）書き込み処理開始セクタを除いて、書き込み処理実行セクタ１１ｂでリードチャネル部５の動作を停止してアドレス情報ＩＤの読み取りを省略するので、アドレス情報ＩＤの読み取りに要する消費電力を低減することができる。
（４）書き込み処理実行セクタ１１ｂの最終セクタに対する書き込み処理動作が終了した後、次セクタのアドレス情報ＩＤを読み取って期待値と比較することにより、アドレスの連続性を確認して、書き込み処理動作が正常に行われたか否かを判別することができる。
（５）書き込み処理実行セクタ１１ｂの最終セクタの次セクタにおいて、アドレス情報ＩＤの読み取りに失敗した場合には、さらに次のセクタのアドレス情報ＩＤを読み取って、アドレスの連続性を確認することができる。
（第五の実施の形態）
図１４及び図１５は、コントローラ部４のセクタ管理動作の第五の実施の形態を示す。この実施の形態は、前記第一の実施の形態の機能に第二の実施の形態の機能を付加したものである。パワーダウン制御部の構成は、第一及び第二の実施の形態と同様である。
【０１３３】
図１４及び図１５において、ステップ９１〜１０６の動作は、第一の実施の形態の動作と同様である。ステップ１０７〜１１０の動作は、第二の実施の形態におけるステップ５４〜５７の動作と同様である。
【０１３４】
従って、このような動作を行う光ディスク記録再生装置では、書き込み処理動作時に、書き込み処理開始セクタのアドレス情報ＩＤを読み取った後は、ｎセクタ毎にアドレス情報ＩＤの読み取りを行うとともに、スキップセクタの次のセクタにおいて、アドレス情報ＩＤの読み取りを行って、アドレスの連続性を確認することができる。
【０１３５】
上記各実施の形態は、次に示すように変更することもできる。
・第二の実施の形態のセクタ管理動作と、第三の実施の形態のセクタ管理動作とを組み合わせて使用してもよい。すなわち、第三の実施の形態のようにヘッダー部１の後半部でのみアドレス情報ＩＤの読み取りを行う動作を、ｎセクタ毎に行うようにしてもよい。
・第一の実施の形態のセクタ管理動作と、第三の実施の形態のセクタ管理動作とを組み合わせて使用してもよい。すなわち、第三の実施の形態のようにヘッダー部１の後半部でのみアドレス情報ＩＤの読み取りを行う動作を、スキップセクタの次のセクタのアドレス情報ＩＤの読み取り時に行ってもよい。
（付記１）記録媒体上の複数のセクタからアドレス情報を読み取り、該アドレス情報に該当するセクタのデータ部にデータを書き込むデータ書き込み装置であって、
前記アドレス情報の読み取りを一部省略するパワーダウン制御部を備えたことを特徴とするデータ書き込み装置。
（付記２）記録媒体上の複数のセクタからアドレス情報の読み取り動作を行うリードチャネル部と、
前記各セクタにデータの書き込み処理動作を行うライトチャネル部と、
データの書き込み処理動作時には前記リードチャネル部を動作させてアドレス情報を読み取り、該アドレス情報に基づいて前記ライトチャネル部により前記セクタに書き込み処理動作を行うコントローラ部と
を備えたデータ書き込み装置であって、
前記コントローラ部には、前記リードチャネル部の動作を停止させるパワーダウン信号を該リードチャネル部に出力するパワーダウン制御部を備え、前記パワーダウン制御部はデータの書き込み処理動作時に、一部のセクタにおいてのみアドレス情報の読み取りを行うように前記パワーダウン信号を前記リードチャネル部に出力することを特徴とするデータ書き込み装置。
（付記３）前記コントローラ部は、書き込み処理開始セクタと、スキップセクタの次のセクタにおいてのみ前記アドレス情報を読み取るように、前記パワーダウン制御部から前記パワーダウン信号を出力させることを特徴とする付記２記載のデータ書き込み装置。
（付記４）前記コントローラ部は、あらかじめ設定された所定数おきのセクタにおいてのみ前記アドレス情報を読み取るように、前記パワーダウン制御部から前記パワーダウン信号を出力させることを特徴とする付記２記載のデータ書き込み装置。
（付記５）前記コントローラ部は、各セクタのヘッダー部の後半部においてのみ前記アドレス情報を読み取るように、前記パワーダウン制御部から前記パワーダウン信号を出力させることを特徴とする付記２記載のデータ書き込み装置。
（付記６）前記コントローラ部は、書き込み処理開始セクタと、書き込み処理実行セクタの最終セクタに続くセクタのアドレス情報を読み取るように、前記パワーダウン制御部から前記パワーダウン信号を出力させることを特徴とする付記２記載のデータ書き込み装置。
（付記７）前記パワーダウン制御部は、
セクタの長さをカウントするセクタカウンタと、
前記セクタカウンタのカウント値と、あらかじめ設定された通過タイミング設定値との比較に基づいて各セクタのヘッダー部の通過を検出する第一の検出部と、
前記セクタカウンタのカウント値と、あらかじめ設定されたオフタイミング設定値との比較に基づいてパワーダウン信号をオフさせる解除信号を出力する第二の検出部と、
前記コントローラ部から入力されるパワーダウン設定信号と、前記解除信号とに基づいて前記パワーダウン信号を生成する論理回路と
を備え、
前記コントローラ部は、前記第一の検出部の出力信号に基づいて、各セクタへの書き込み処理動作を順次行うことを特徴とする付記３または４記載のデータ書き込み装置。
（付記８）前記パワーダウン制御部は、
セクタの長さをカウントするセクタカウンタと、
前記セクタカウンタのカウント値と、あらかじめ設定されたリードゲート立上がりタイミング設定値及びリードゲート立下りタイミング設定値との比較に基づいて、前記リードチャネル部を活性化するリードゲート信号の立上がり及び立下りタイミングを設定する第三の検出部と、
前記セクタカウンタのカウント値と、あらかじめ設定されたパワーダウン信号立上がりタイミング設定値及びパワーダウン信号立下りタイミング設定値との比較に基づいて、パワーダウン信号の立上がり及び立下りタイミングを設定する第四の検出部と
を備えたことを特徴とする付記５記載のデータ書き込み装置。
（付記９）前記パワーダウン制御部は、
セクタの長さをカウントするセクタカウンタと、
前記セクタカウンタのカウント値と、あらかじめ設定された通過タイミング設定値との比較に基づいて各セクタのヘッダー部の通過を検出する第一の検出部と、
前記セクタカウンタのカウント値と、あらかじめ設定されたオフタイミング設定値との比較に基づいてパワーダウン信号をオフさせる解除信号を出力する第二の検出部と、
前記コントローラ部から入力される書き込み処理実行中フラグと、前記解除信号とに基づいて前記パワーダウン信号を生成する論理回路と
を備え、
前記コントローラ部は、前記第一の検出部の出力信号に基づいて、各セクタへの書き込み処理動作を順次行うことを特徴とする付記６記載のデータ書き込み装置。
（付記１０）データの書き込み処理動作時に、リードチャネル部にパワーダウン信号を入力して該リードチャネル部の動作を停止させるとともに、書き込み処理実行セクタのアドレスの連続性を確認するために、一部のセクタにおいてのみアドレス情報の読み取りを行うように前記パワーダウン信号を解除することを特徴とするデータ書き込み方法。
（付記１１）　前記コントローラ部は、書き込み処理開始セクタと、あらかじめ設定された所定数おきのセクタと、スキップセクタの次のセクタにおいてのみ前記アドレス情報を読み取るように、前記パワーダウン制御部から前記パワーダウン信号を出力させることを特徴とする付記２記載のデータ書き込み装置。
（付記１２）　前記コントローラ部は、あらかじめ設定された所定数おきのセクタにおいて、ヘッダー部の後半部においてのみ前記アドレス情報を読み取るように、前記パワーダウン制御部から前記パワーダウン信号を出力させることを特徴とする付記２記載のデータ書き込み装置。
（付記１３）　前記コントローラ部は、書き込み処理開始セクタと、スキップセクタの次のセクタにおいて、ヘッダー部の後半部においてのみ前記アドレス情報を読み取るように、前記パワーダウン制御部から前記パワーダウン信号を出力させることを特徴とする付記２記載のデータ書き込み装置。
（付記１４）　前記コントローラ部は、書き込み処理開始セクタと、あらかじめ設定された所定数おきのセクタと、スキップセクタの次のセクタにおいて、ヘッダー部の後半部においてのみ前記アドレス情報を読み取るように、前記パワーダウン制御部から前記パワーダウン信号を出力させることを特徴とする付記２記載のデータ書き込み装置。
（付記１５）　前記オフタイミング設定値は、アドレス情報の読み取り動作に先立ってパワーダウン信号をオフさせるように設定して、アドレス情報の読み取り動作に先立ってリードチャネル部をスタンバイ状態とすることを特徴とする付記７記載のデータ書き込み装置。
（付記１６）　前記パワーダウン設定信号は、コントローラ部でのスキップセクタの検出に基づいて立ち下がる信号とし、前記論理回路は前記パワーダウン設定信号の立下りと前記解除信号との論理積に基づいて前記パワーダウン信号を出力することを特徴とする付記７記載のデータ書き込み装置。
（付記１７）　リードゲート立上がりタイミング設定値は、書き込み処理開始セクタのための第一の設定値と、その他の書き込み処理実行セクタのための第二の設定値とのいずれかを実行中フラグに基づいて選択することを特徴とする付記８記載のデータ書き込み装置。
（付記１８）　データの書き込み処理動作時に、リードチャネル部にパワーダウン信号を入力して該リードチャネル部の動作を停止させるとともに、セクタアドレスの連続性を確認するために、スキップアドレスの次のセクタにおいてのみアドレス情報の読み取りを行うように前記パワーダウン信号を解除することを特徴とするデータ書き込み方法。
（付記１９）　データの書き込み処理動作時に、リードチャネル部にパワーダウン信号を入力して該リードチャネル部の動作を停止させるとともに、セクタアドレスの連続性を確認するために、所定数おきのセクタにおいてのみアドレス情報の読み取りを行うように前記パワーダウン信号を解除することを特徴とするデータ書き込み方法。
（付記２０）　データの書き込み処理動作時に、リードチャネル部にパワーダウン信号を入力して該リードチャネル部の動作を停止させるとともに、セクタアドレスの連続性を確認するために、各セクタのヘッダー部の後半部においてのみアドレス情報の読み取りを行うように前記パワーダウン信号を解除することを特徴とするデータ書き込み方法。
（付記２１）　データの書き込み処理動作時に、リードチャネル部にパワーダウン信号を入力して該リードチャネル部の動作を停止させるとともに、セクタアドレスの連続性を確認するために、書き込み処理実行セクタの最終セクタの次のセクタのアドレス情報の読み取りを行うように前記パワーダウン信号を解除することを特徴とするデータ書き込み方法。
【０１３６】
【発明の効果】
以上詳述したように、この発明は、書き込み処理動作の精度を低下させることなく、書き込み処理動作時の消費電力を低減し得る光ディスク記録再生装置を提供することができる。
【図面の簡単な説明】
【図１】光ディスク記録再生装置を示すブロック図である。
【図２】第一の実施の形態のパワーダウン制御部を示すブロック図である。
【図３】第一の実施の形態の動作を示す説明図である。
【図４】第一の実施の形態の動作を示すフローチャート図である。
【図５】第二の実施の形態の動作を示す説明図である。
【図６】第二の実施の形態の動作を示すフローチャート図である。
【図７】第二の実施の形態の動作を示すフローチャート図である。
【図８】第三の実施の形態のパワーダウン制御部を示すブロック図である。
【図９】第三の実施の形態の動作を示す説明図である。
【図１０】第四の実施の形態のパワーダウン制御部を示すブロック図である。
【図１１】第四の実施の形態の動作を示す説明図である。
【図１２】第四の実施の形態の動作を示すフローチャート図である。
【図１３】第四の実施の形態の動作を示すフローチャート図である。
【図１４】第五の実施の形態の動作を示すフローチャート図である。
【図１５】第五の実施の形態の動作を示すフローチャート図である。
【図１６】光ディスク記録再生装置の従来例を示すブロック図である。
【図１７】セクタフォーマットを示す説明図である。
【図１８】データ読み取り動作を示す説明図である。
【図１９】従来のデータ書き込み処理動作を示す説明図である。
【図２０】従来例の書き込み処理動作時におけるセクタ管理動作を示すフローチャート図である。
【符号の説明】
２　　　　　データ部
４　　　　　コントローラ部
５　　　　　リードチャネル部
６　　　　　記録媒体
１０　　　　ライトチャネル部
１２ａ，１２ｂ，１２ｃ　　パワーダウン制御部
ＩＤ　　　　　アドレス情報
ＰＤ　　　　パワーダウン信号
【図１】
2004046960.tif 000003
【図２】
2004046960.tif 000004
【図３】
2004046960.tif 000005
【図４】
2004046960.tif 000006
【図５】
2004046960.tif 000007
【図６】
2004046960.tif 000008
【図７】
2004046960.tif 000009
【図８】
2004046960.tif 000010
【図９】
2004046960.tif 000011
【図１０】
2004046960.tif 000012
【図１１】
2004046960.tif 000013
【図１２】
2004046960.tif 000014
【図１３】
2004046960.tif 000015
【図１４】
2004046960.tif 000016
【図１５】
2004046960.tif 000017
【図１６】
2004046960.tif 000018
【図１７】
2004046960.tif 000019
【図１８】
2004046960.tif 000020
【図１９】
2004046960.tif 000021
【図２０】
2004046960.tif 000022